(57)【要約】【課題】基材に設けられた貫通孔の内周面の局所領域に、簡易な工程・設備を用いながら、低コストで膜を形成することができる成膜方法、かかる成膜方法により形成された撥液膜を備える液体供給ヘッド、この液体供給ヘッドを備えた液体供給装置を提供すること。【解決手段】本発明の成膜方法は、ノズル板２のインク吐出口２１１側の面２２と、ノズル孔２１の内周面２１２の局所領域２１２ａとに連続して形成された撥液膜７を、ノズル孔２１の内周面２１２およびノズル板２のほぼ全面に被加工膜を形成する工程と、被加工膜を保護するシート材を、一部がノズル孔２１内に充填されるようにノズル板２の面２２に装着する工程と、ノズル板２の上面２３側からプラズマ処理および／または紫外線照射処理を施して、被加工膜のシート材から露出した部分を除去して撥液膜７を得る工程と、ノズル板２からシート材を剥離して除去する工程とにより形成する。【選択図】図１
2006168259.tif 000002
【特許請求の範囲】
【請求項１】
基材に設けられた貫通孔の内周面の、一端から他端に向かう所定長さの局所領域に膜を形成する成膜方法であって、
前記貫通孔の内周面の前記局所領域を含む領域に、前記膜を得るための被加工膜を形成する第１の工程と、
前記被加工膜を保護するシート材を、その一部が前記貫通孔内に充填されるように、前記基材の前記貫通孔の一端側の面に装着する第２の工程と、
前記貫通孔の他端側から、前記基材に対してプラズマ処理および／または紫外線照射処理を施して、前記シート材から露出した前記被加工膜を除去することにより、前記局所領域に存在する前記被加工膜を残して前記膜を得る第３の工程と、
前記基材から前記シート材を剥離して除去する第４の工程とを有することを特徴とする成膜方法。
【請求項２】
前記第１の工程において、前記被加工膜を、前記膜の構成材料を含有する液体を用いて形成する請求項１に記載の成膜方法。
【請求項３】
前記第２の工程において、前記シート材の一部を、前記局所領域を含む領域の前記被加工膜を覆うように前記貫通孔内に充填し、
前記第３の工程において、前記プラズマ処理および／または前記紫外線照射処理により、前記局所領域以外の前記被加工膜を覆う前記シート材を除去しつつ、前記シート材から露出した前記被加工膜を除去する請求項１または２に記載の成膜方法。
【請求項４】
前記第３の工程において、前記プラズマ処理および／または前記紫外線照射処理を、大気圧下で行う請求項１ないし３のいずれかに記載の成膜方法。
【請求項５】
前記第３の工程において、前記プラズマ処理および／または前記紫外線照射処理を、減圧下で行う請求項１ないし３のいずれかに記載の成膜方法。
【請求項６】
前記貫通孔の一端側の開口面積（平均）は、５０〜４００００μｍ２である請求項１ないし５のいずれかに記載の成膜方法。
【請求項７】
前記シート材は、粘着性または接着性を有するものである請求項１ないし６のいずれかに記載の成膜方法。
【請求項８】
前記第１の工程において、前記被加工膜を、前記貫通孔の内周面および前記基材の表面に形成し、前記膜を前記貫通孔の内周面の前記局所領域と、前記基材の前記貫通孔の一端側の面とに連続して形成する請求項１ないし７のいずれかに記載の成膜方法。
【請求項９】
液体が通過する流路が設けられ、該流路の一方の開口が前記液体を排出する排出口を構成するヘッド本体と、
請求項８に記載の成膜方法により、前記流路の内周面の排出口近傍の局所領域と、前記ヘッド本体の前記排出口側の面とに連続して形成された撥液膜とを備えることを特徴とする液体供給ヘッド。
【請求項１０】
前記液体を前記排出口から液滴として吐出可能な液滴吐出手段を備える請求項９に記載の液体供給ヘッド。
【請求項１１】
請求項９または１０に記載の液体供給ヘッドを備えることを特徴とする液体供給装置。
【発明の詳細な説明】
【技術分野】
【０００１】
本発明は、成膜方法、液体供給ヘッドおよび液体供給装置に関するものである。
【背景技術】
【０００２】
インクジェットヘッド（液体供給ヘッド）は、微細なノズル孔が微小間隔を隔てて複数形成されたノズル板を有し、ノズル孔の一方の開口（インク吐出口）からインク滴を吐出させ、印刷紙に着弾させることによって印刷を行う。
このようなインクジェットヘッドでは、ノズル板のインク吐出口側の面にインクが付着すると、その後に吐出されたインクの噴出軌道が、付着したインクの表面張力や粘性等の影響を受けて曲げられてしまい、所定の位置にインクが着弾できないという問題が生じる。
このため、ノズル板のインク吐出口側の面と、ノズル孔の内周面のインク吐出口近傍に、フッ素系樹脂等で構成される撥液膜を形成することが行われている。
【０００３】
このような撥液膜の形成は、例えば、次のようにして行われる（例えば、特許文献１参照。）。
まず、ノズル板を用意し、そのインク吐出口と反対側の面に、光により硬化する感光性樹脂フィルムをラミネートする。
次に、この感光性樹脂フィルムを、圧力を加えつつ加熱する。これにより、ノズル板の裏面に感光性樹脂フィルムが熱圧着されるとともに、ノズル孔に対応する部分の感光性樹脂フィルムの一部が、ノズル孔内に入り込む。
【０００４】
次に、紫外線を照射し、感光性樹脂フィルムを硬化させる。
次に、ノズル板を、例えば、ニッケルイオンとフッ素系樹脂とを電荷により分散させた電解溶液中に浸漬し、攪拌する。これにより、ノズル板の感光性樹脂フィルムで覆われていない部分、すなわち、ノズル板のインク吐出口側の面と、ノズル孔の内周面のインク吐出口近傍に共析メッキ層が形成される。
次に、感光性樹脂フィルムを、溶媒により溶解除去した後、共析メッキ層を構成するフッ素系樹脂の融点以上の温度で、ノズル板を加熱する。
以上の工程により、ノズル板のインク吐出口側の面と、ノズル孔の内周面のインク吐出口近傍に撥液膜が形成される。
【０００５】
しかしながら、以上のような撥液膜の形成方法では、撥液膜を形成しない領域を、感光性樹脂フィルムを使用するため、撥液膜を形成するための工程の他に、感光性樹脂フィルムをノズル板に熱圧着する工程、感光性樹脂フィルムを硬化させる工程や、感光性樹脂フィルムを溶解除去する工程を行わなければならない。
これらの工程は、複雑であり、また、各工程を行うための設備が必要となる。しかも、感光性樹脂フィルム自体が高価であり、このようなことから、製造コストがかかるといった問題がある。
【０００６】
【特許文献１】特開平７−１２５２２０号公報
【発明の開示】
【発明が解決しようとする課題】
【０００７】
本発明の目的は、基材に設けられた貫通孔の内周面の局所領域に、簡易な工程・設備を用いながら、低コストで膜を形成することができる成膜方法、および、かかる成膜方法により形成された撥液膜を備える液体供給ヘッド、および、この液体供給ヘッドを備えた液体供給装置を提供することにある。
【課題を解決するための手段】
【０００８】
このような目的は、下記の本発明により達成される。
本発明の成膜方法は、基材に設けられた貫通孔の内周面の、一端から他端に向かう所定長さの局所領域に膜を形成する成膜方法であって、
前記貫通孔の内周面の前記局所領域を含む領域に、前記膜を得るための被加工膜を形成する第１の工程と、
前記被加工膜を保護するシート材を、その一部が前記貫通孔内に充填されるように、前記基材の前記貫通孔の一端側の面に装着する第２の工程と、
前記貫通孔の他端側から、前記基材に対してプラズマ処理および／または紫外線照射処理を施して、前記シート材から露出した前記被加工膜を除去することにより、前記局所領域に存在する前記被加工膜を残して前記膜を得る第３の工程と、
前記基材から前記シート材を剥離して除去する第４の工程とを有することを特徴とする。
これにより、基材に設けられた貫通孔の内周面の局所領域に、簡易な工程・設備を用いながら、低コストで膜を形成することができる。
【０００９】
本発明の成膜方法では、前記第１の工程において、前記被加工膜を、前記膜の構成材料を含有する液体を用いて形成することが好ましい。
かかる方法（液相成膜）によれば、被加工膜を容易かつ確実に形成することができる。
本発明の成膜方法では、前記第２の工程において、前記シート材の一部を、前記局所領域を含む領域の前記被加工膜を覆うように前記貫通孔内に充填し、
前記第３の工程において、前記プラズマ処理および／または前記紫外線照射処理により、前記局所領域以外の前記被加工膜を覆う前記シート材を除去しつつ、前記シート材から露出した前記被加工膜を除去することが好ましい。
これにより、シート材として使用し得るものの選択の範囲が広がる。
【００１０】
本発明の成膜方法では、前記第３の工程において、前記プラズマ処理および／または前記紫外線照射処理を、大気圧下で行うことが好ましい。
これにより、減圧ポンプが不要となるので、膜の製造コストの削減に有利となる。
本発明の成膜方法では、前記第３の工程において、前記プラズマ処理および／または前記紫外線照射処理を、減圧下で行うことが好ましい。
これにより、プラズマ処理を施す場合、プラズマを容易かつ確実に発生させることができ、紫外線照射処理を施す場合、処理雰囲気中の水蒸気量を少なくすることができるため、水蒸気により照射する紫外線が吸収され、減衰するのを好適に防止することができる。また、被加工膜の分解物が処理雰囲気中に拡散し易くなり、被加工膜の分解物をより確実に基材から除去することができる。
【００１１】
本発明の成膜方法では、前記貫通孔の一端側の開口面積（平均）は、５０〜４００００μｍ２であることが好ましい。
このような極小の貫通孔の内周面に膜を形成する場合に、本発明の成膜方法を適用するのが好適である。これにより、貫通孔の内周面の局所領域に、膜を容易かつ確実に形成することができる。
【００１２】
本発明の成膜方法では、前記シート材は、粘着性または接着性を有するものであることが好ましい。
シート材として、粘着性または接着性を有するものを用いることにより、基材にシート材をより確実に装着することができ、特に、粘着性を有するものを用いることにより、第４の工程において、シート材を基材から容易かつ確実に剥離することができる。
本発明の成膜方法では、前記第１の工程において、前記被加工膜を、前記貫通孔の内周面および前記基材の表面に形成し、前記膜を前記貫通孔の内周面の前記局所領域と、前記基材の前記貫通孔の一端側の面とに連続して形成することが好ましい。
【００１３】
本発明の液体供給ヘッドは、液体が通過する流路が設けられ、該流路の一方の開口が前記液体を排出する排出口を構成するヘッド本体と、
本発明の成膜方法により、前記流路の内周面の排出口近傍の局所領域と、前記ヘッド本体の前記排出口側の面とに連続して形成された撥液膜とを備えることを特徴とする。
これにより、液体を目的の箇所に確実かつ均一に供給し得る液体供給ヘッドが得られる。
本発明の液体供給ヘッドでは、前記液体を前記排出口から液滴として吐出可能な液滴吐出手段を備えることが好ましい。
本発明の液体供給装置は、本発明の液体供給ヘッドを備えることを特徴とする。
これにより、液体を目的の箇所に確実かつ均一に供給し得る液体供給装置が得られる。
【発明を実施するための最良の形態】
【００１４】
以下、本発明の成膜方法、液体供給ヘッドおよび液体供給装置を添付図面に示す好適実施形態に基づいて詳細に説明する。
まず、本発明の液体供給ヘッドをインクジェットヘッドに適用した場合の実施形態について説明する。なお、インクジェットヘッドとして、本実施形態では静電駆動方式を採用するものを例に説明するが、これに限定されず、例えば、圧電駆動方式等の他の駆動方式を採用するものであってもよい。
図１は、本発明の液体供給ヘッドをインクジェットヘッドに適用した場合の実施形態を示す縦断面図である。
なお、図１は、通常使用される状態とは、上下逆に示されている。また、以下では、説明の便宜上、図１中の上側を「上」、下側を「下」と言う。
【００１５】
図１に示すインクジェットヘッド１は、静電駆動方式のインクジェットヘッドである。
このインクジェットヘッド１は、ノズル板２、キャビティ板３および電極板４とで構成されるヘッド本体を有しており、キャビティ板３を挟むようにしてノズル板２と電極板４が配置されている。
キャビティ板３には、複数の段差が設けられ、ノズル板２とキャビティ板３との間に空隙５が画成（形成）されている。
この空隙５は、各々区切られた複数のインク吐出室５１と、インク吐出室５１の後部に設けられたオリフィス５２と、各インク吐出室５１にインクを供給する共通のリザーバ５３とを有しており、リザーバ５３の下部には、インク取込口５４が設けられている。
【００１６】
キャビティ板３のインク吐出室５１に対応する部分は、薄肉とされており、インク吐出室５１の圧力を変動させる振動板３１として機能する。
また、ノズル板２には、インク吐出室５１に連通する、複数のノズル孔（貫通孔）２１が形成されている。各ノズル孔２１は、それぞれ、インク吐出室５１に供給されたインク（液体）が通過する流路を構成する。
【００１７】
また、このノズル孔２１の上方（一方）の開口は、インクをインク滴（液滴）６として吐出（排出）するインク吐出口（排出口）２１１を構成する。
そして、このノズル板２には、インク吐出口２１１側の面２２と、ノズル孔２１の内周面２１２のインク吐出口２１１の近傍の局所領域、すなわち、ノズル孔２１の内周面２１２の、上端（一端）から下端（他端）に向かう所定長さ（所定深さ）の局所領域２１２ａとに連続して、撥液膜７が形成されている。
【００１８】
この撥液膜７は、インクに対して高い撥液性を示す膜である。
この撥液膜７が形成されていることにより、インク吐出口２１１の周囲にインクが付着するのが防止され、インク滴６が、ノズル孔２１の軸線方向と略一致するように安定に噴出される。
撥液膜７としては、例えば、フルオロアルキル基、アルキル基、ビニル基、エポキシ基、スチリル基、メタクリロキシ基等の撥水性官能基を有する各種カップリング剤、ポリテトラフルオロエチレン（ＰＴＦＥ）、テトラフルオロエチレン−パーフルオロアルキルビニルエーテル共重合体（ＰＦＡ）、エチレン−テトラフルオロエチレン共重合体（ＥＴＦＥ）、パーフルオロエチレン−プロペン共重合体（ＦＥＰ）、エチレン−クロロトリフルオロエチレン共重合体（ＥＣＴＦＥ）、パーフロロアルキルエーテルのようなフッ素系樹脂、シリコーン樹脂等の撥水性樹脂材料、または水酸基、カルボキシル基、アミノ基等の親水性官能基を有する各種カップリング剤、ポリビニルアルコール等の親水性樹脂材料等を用いて形成することができる。
撥液膜７の平均厚さは、特に限定されないが、０．００１〜５μｍ程度であるのが好ましい。
【００１９】
このような撥液膜７の形成に、本発明の成膜方法が適用される。なお、撥液膜７の形成方法（本発明の成膜方法）については後述する。
また、インク吐出口２１１（ノズル孔２１の一端側の開口）の開口面積（平均）は、特に限定されないが、５０〜４００００μｍ２程度であるのが好ましい。このような細径のノズル孔２１の内周面２１２に撥液膜７を形成する場合に、本発明の成膜方法を適用するのが好適である。これにより、ノズル孔２１の内周面２１２の局所領域２１２ａに、撥液膜７を容易かつ確実に形成することができる。
【００２０】
電極板４は、キャビティ板３のノズル板２と反対側の面に接合されている。
電極板４は、振動板３１と対向する部分に凹部が形成されており、振動板３１との間に振動室８が形成されている。この振動室８の下面には、振動板３１に対向する各々の位置に個別電極８１が設けられている。
このインクジェットヘッド１では、振動板３１、振動室８および個別電極８１により、静電アクチュエータ（液滴吐出手段）が構成されている。
【００２１】
このようなインクジェットヘッド１では、発信回路により、個別電極８１にパルス電圧を印加すると、個別電極８１の表面がプラスに帯電し、それに対応する振動板３１の下面がマイナス電位に帯電する。これにより発生する静電気の吸引作用によって、振動板３１は下方へ撓む。
この状態で、パルス電圧をＯＦＦすると、個別電極８１と振動板３１に蓄えられた電荷を急激に放電し、振動板３１自体の弾性力で振動板３１は、ほぼ元の形状に復元する。
このとき、インク吐出室５１内の圧力が急激に上昇し、ノズル孔２１より記録紙（記録用紙Ｐ）に向けてインク滴６が吐出される。
そして、振動板３１が再び下方へ撓むことにより、インクがリザーバ５３よりオリフィス５２を通じてインク吐出室５１内に補給される。
【００２２】
このようなインクジェットヘッド１は、例えば、次のようにして製造することができる。
図２〜図６は、それぞれ、図１に示すインクジェットヘッドの製造方法を説明するための図であり、図２は、インクジェットヘッドが備えるノズル板の上面図、図３〜図６は、それぞれ、ノズル板の図１中のＡ−Ａ線縦断面図である。また、図５には、プラズマ発生装置の一例を模式的に示してある。
なお、図３〜図６は、いずれも、図１に示すノズル板とは上下が逆に示されている。また、以下では、説明の便宜上、図３〜図６中の上側を「上」、下側を「下」と言う。
【００２３】
図３〜図６に示すインクジェットヘッドの製造方法は、［１］被加工膜形成工程、［２］シート材装着工程、［３］不要部分除去工程、［４］シート材剥離工程、［５］基板接合工程とを有しており、このうち、工程［１］〜［４］に、本発明の成膜方法が適用されている。
以下、各工程について、順次説明する。
【００２４】
［１］被加工膜形成工程（第１の工程）
まず、図２および図３に示すように、ノズル孔２１が微小間隔を隔てて複数形成されたノズル板（基材）２を用意する。
ノズル板２としては、例えば、金属、セラミックス、シリコン、ガラス、プラスチック等で構成されたものを用いることができる。このうち、特にチタン、クロム、鉄、コバルト、ニッケル、銅、亜鉛、スズ、金等の金属、またはニッケル−リン合金、スズ−銅−リン合金（リン青銅）、銅−亜鉛合金、ステンレス鋼等の合金、ポリカーボネート、ポリサルフォン、ＡＢＳ樹脂（アクリルニトリル・ブタジエン・スチレン共重合体）、ポリエチレンテレフタレート、ポリアセタール等で構成されたものを用いるのが好ましい。
【００２５】
次いで、図４（ａ）に示すように、ノズル孔２１の内周面２１２のほぼ全面（局所領域２１２ａを含む（包含する）領域）およびノズル板２の表面に、撥液膜７を得るための被加工膜７０を形成する。
この被加工膜７０の不要部分を、後工程［３］において除去することにより、撥液膜７が得られる。
【００２６】
被加工膜７０は、例えば、前述したような撥液膜７の構成材料を含有する液体をノズル板２に接触させる方法、プラズマＣＶＤ、熱ＣＶＤ、レーザーＣＶＤのような化学蒸着法（ＣＶＤ）、真空蒸着、スパッタリング、イオンプレーティング等の乾式メッキ法等により形成することができる。
この中でも、被加工膜７０は、特に、撥液膜７の構成材料を含有する液体をノズル板２に接触させる方法（液相成膜）により形成するのが好ましい。かかる方法によれば、被加工膜７０を容易かつ確実に形成することができる。
また、この場合、ノズル板２と前記液体との接触は、例えば、前記液体にノズル板２を浸漬する方法（浸漬法）、前記液体をノズル板２に塗布する方法（塗布法）、前記液体をノズル板２にシャワー状に供給する方法等により行うことができる。
【００２７】
［２］シート材装着工程（第２の工程）
次に、図４（ｂ）に示すように、被加工膜７０を保護するシート材１０を、被加工膜７０が形成されたノズル板２のインク吐出口２１１側（ノズル孔２１の一端側）の面２２に装着する。このとき、ノズル板２のノズル孔２１内に、シート材１０の一部を充填するようにする。
【００２８】
シート材１０のノズル板２への装着は、例えば、ラミネータ、真空ラミネータ、プレス機等の装置を用いること等により行うことができる。
このシート材１０は、それ自体が粘着性または接着性を有し、粘着剤や接着剤を用いることなく、ノズル板２に装着し得るものであってもよく、それ自体に粘着性または接着性を有さず、粘着剤や接着剤によりノズル板２に装着されるものであってもよい。
【００２９】
この中でも、シート材１０としては、粘着性または接着性を有するもの、特に、粘着性を有するものが好ましい。シート材１０として、粘着性または接着性を有するものを用いることにより、ノズル板２にシート材１０をより確実に装着することができ、特に、粘着性を有するものを用いることにより、後工程［４］において、シート材１０をノズル板２から容易かつ確実に剥離することができる。
なお、本実施形態では、膜として撥液膜を形成するため、シート材１０と被加工膜７０との密着性が比較的低く（弱く）なる。このため、シート材１０として、粘着力の高い粘着性シートや接着性シートを用いることもできる。
【００３０】
ここで、粘着性を有するシート材１０としては、例えば、ゴム系粘着剤、アクリル系粘着剤、ビニル系粘着剤、シリコーン系粘着剤等のうちの１種または２種以上を組み合わせて構成したものを用いることができる。
一方、接着性を有するシート材１０としては、例えば、ゴム系接着剤、アクリル系接着剤、ビニルエーテル系接着剤、シリコーン系接着剤、エポキシ系接着剤、ウレタン系接着剤およびホットメルト接着剤等のうちの１種または２種以上を組み合わせて構成したものを用いることができる。
また、シート材１０としては、当該シート材１０により覆われている被加工膜７０を、後工程［３］におけるプラズマのエッチング作用から保護し得るものであればよく、それ自体が、プラズマによって徐々に除去されるもの、実質的に除去されないもののいずれであってもよい。
【００３１】
本実施形態では、シート材１０として、それ自体がプラズマによって除去されるものを用いるため、局所領域２１２ａを含む（包含する）領域の被加工膜７０を覆うように、すなわち、局所領域（特定領域）２１２ａおよび局所領域２１２ａ以外の領域２１２ｂの一部の被加工膜７０を覆うように、シート材１０の一部をノズル孔２１内に充填する。この場合、シート材１０にプラズマに対する耐性が要求されないので、シート材１０として使用し得るものの選択の範囲が広がるという利点がある。
なお、シート材１０として、それ自体がプラズマによって実質的に除去されないものを用いる場合、シート材１０は、局所領域２１２ａに対応する被加工膜７０のみを覆うように、ノズル孔２１内に充填すればよい。
【００３２】
次いで、図４（ｃ）に示すように、このノズル板２を、シート材１０側を下方にして、プラズマ処理装置１００の基板載置用ステージ１０２に載置する。このプラズマ処理装置１００の構成については後述する。
このとき、シート材１０として、粘着性または接着性を有するものを用いると、他の手段を要せず、ノズル板２を基板載置用ステージ１０２へ固定することができるという利点がある。
【００３３】
また、シート材１０が基板載置用ステージ１０２側の面に、粘着性や接着性を有さない場合、基板載置用ステージ１０２としては、静電吸着機構や磁気吸着機構、真空吸着機構等のノズル板２を吸着する機構を有するものが用いられる。
また、吸着機構の代わりに、ノズル板２の外周部を上から押さえて固定するような機械的な固定機構であってもよい。
さらに、所望のプラズマ処理に支障がなければ、特に固定せずにノズル板２を載置するだけでもよい。
なお、シート材１０には、例えば、樹脂や紙で構成されるシート基材に、粘着剤層や接着剤層を積層した構成のもの等を用いることもできる。
【００３４】
［３］不要部分除去工程（第３の工程）
次に、インク吐出口２１１と反対側（ノズル孔２１の他端側）から、ノズル板２に対してプラズマ処理を施す。
ここで、被加工膜７０の除去に用いるプラズマ処理装置の一例を、図５に示す。
図５に示すプラズマ処理装置１００は、チャンバー１０１内に、ノズル板２が載置される基板載置用ステージ１０２と、微小領域にプラズマを供給するプラズマ発生用ヘッド１０３が設置されて構成されている。
【００３５】
プラズマ発生用ヘッド１０３は、基板載置用ステージ１０２に載置されたノズル板２との間で一定の間隔を保持するように支持され、ノズル板２の上面２３に対して略平行な方向に移動操作し得るようになっている。
このプラズマ発生用ヘッド１０３としては、プラズマを発生させるイオン源と、イオン源で発生したプラズマ（主にイオン）を被処理物（被加工膜７０が形成されたノズル板２）に向けて加速する引出し電極および加速電極を有するものであってもよく、被処理物と対峙する面に、放電電極を有し、この放電電極と、対向電極となる基板載置用ステージ１０２との間にプラズマを発生させるものであってもよい。
このプラズマ処理装置１００によって、ノズル板２の上面２３と、ノズル孔２１の内周面２１２の局所領域２１２ａ以外の領域２１２ｂとに形成された被加工膜７０を除去するには、プラズマ発生用ヘッド１０３をＯＮ状態とし、ノズル板２の上面２３に対して略平行に走査する。
【００３６】
なお、略平行に走査するのはプラズマ発生用ヘッド１０３側ではなく、基板載置用ステージ１０２側であっても、その両方であってもよい。すなわち、プラズマ発生用ヘッド１０３と基板載置用ステージ１０２とは、相対的に走査（移動）可能となっていればよい。
また、略平行に走査する機構に加えまたはこれに代えて、プラズマ発生用ヘッド１０３や基板載置用ステージ１０２を自公転等させる回転機構を設けてもよい。
さらに、プラズマ発生用ヘッド１０３の設置数は、１つであっても複数（多数）であってもよく、また、ノズル板２の全体にわたって均一に被加工膜７０の不要部分を除去することができれば、走査機構を有さなくてもよい。
【００３７】
プラズマ発生用ヘッド１０３から、ノズル板２の上面２３にプラズマが供給されると、プラズマのエッチング作用により、ノズル板２の上面２３に形成された被加工膜７０が除去される。
また、ノズル孔２１内にプラズマが供給されると、プラズマのエッチング作用により、シート材１０から露出する被加工膜７０が除去される。また、この際、ノズル孔２１内に充填されたシート材１０が上端側から徐々に除去され、それに伴って、シート材１０により覆われていた被加工膜７０が上端側から露出してくる。シート材１０から露出した被加工膜７０は、プラズマのエッチング作用により、ノズル孔２１の内周面２１２から除去される。
そして、このようなプラズマの供給を一定時間継続することにより、局所領域２１２ａに存在する被加工膜７０を残して、これより上側の領域２１２ｂに形成された被加工膜７０が除去される。
【００３８】
このようなプラズマ処理を、ノズル板２の上面２３全体と、各ノズル孔２１に対して施すことにより、図６（ａ）に示すように、ノズル板２のインク吐出口２１１側の面２２および側面２４と、各ノズル孔２１の内周面２１２の局所領域２１２ａとに形成された被加工膜７０を残して、不要な被加工膜７０が除去される。これにより、撥液膜７が得られる。
【００３９】
また、ノズル孔２１の内周面２１２には、その長手方向に、撥液膜７が存在し、インクに対する濡れ性の低い撥液性領域と、撥液膜７が存在せず（被加工膜７０が除去され）、インクに対する濡れ性の高い親液性領域とが形成される。本実施形態では、本工程［３］におけるノズル孔２１内に充填されたシート材１０の除去量を調整することにより、撥液性領域と親液性領域との境界位置を任意に設定することができる。
なお、必要に応じて、ノズル板２の側面２４に形成された被加工膜７０も除去するようにしてもよい。
【００４０】
このプラズマ処理に用いられるプラズマとしては、例えば、酸素プラズマ、アルゴンプラズマ、大気プラズマ等が挙げられる。
酸素プラズマを用いてプラズマ処理を行う場合、プラズマ発生用のガスとしては、例えば、酸素ガスと不活性ガス（例えば、アルゴン等）との混合ガス等が用いられる。この場合、酸素ガス流量および不活性ガス流量や、高周波出力、プラズマ発生用ヘッド１０３の走査速度は、例えば、被加工膜７０やシート材１０の材質、除去領域の制御性、後述するキャビティ板３との接合性等を考慮し、最適な条件で決定するのが好ましい。
チャンバー１０１内の雰囲気は、大気圧雰囲気であってもよく、減圧雰囲気であってもよい。すなわち、プラズマ処理は、大気圧下または減圧下のいずれで行うようにしてもよい。
【００４１】
大気圧下でプラズマ処理を行うことにより、減圧ポンプが不要となるので、ノズル板２の製造コストの削減、ひいては、インクジェットヘッド１の製造コストの削減に有利となる。一方、減圧下でプラズマ処理を行うことにより、プラズマを容易かつ確実に発生させることができる。また、被加工膜７０の分解物が処理雰囲気中に拡散し易くなり、被加工膜７０の分解物をより確実にノズル板２から除去することができる。
なお、ここでは、被加工膜７０の不要部分を除去するのに、プラズマ処理を用いる場合を代表に説明したが、本発明では、プラズマ処理に代えて紫外線照射処理を行うようにしてもよく、プラズマ処理および紫外線照射処理の双方を行うようにしてもよい。
【００４２】
紫外線照射処理を行う場合、用いる紫外線の波長は、４００ｎｍ以下であればよい。
また、紫外線照射処理も、大気圧下または減圧下のいずれで行うようにしてもよい。大気圧下で行うことにより、前述と同様に、インクジェットヘッド１の製造コストの削減を図ることができる。一方、減圧下で行うことにより、チャンバー１０１内（処理雰囲気中）の水蒸気量を少なくすることができるため、水蒸気により照射する紫外線が吸収され、減衰するのを好適に防止することができる。その結果、被加工膜７０の不要部分をより効率よく分解・除去することができる。
【００４３】
［４］シート材剥離工程（第４の工程）
次に、ノズル板２を基板載置用ステージ１０２から取り外し、シート材１０をノズル板から剥離する。このとき、図６（ｂ）に示すように、ノズル孔２１の内部に残存するシート材１０も除去される。
以上のようにして、ノズル板２の所定の領域に撥液膜７が形成される。
【００４４】
このようにして撥液膜７を形成すれば、感光性樹脂材料（レジスト材料）のような高価な材料を用いることを要しないので、撥液膜７の形成に要するコストを大幅に低減することができる。また、複数のノズル孔２１内に、一括で均一に撥液膜７を形成することができる。
また、ノズル孔２１内に充填されたシート材１０も一括して除去することができるため、作業効率にも優れる。
【００４５】
［５］基板接合工程
次に、予め作製しておいたキャビティ板３および電極板４を用意する。
そして、ノズル板２の上面（インク吐出口２１１と反対側の面）２３と、キャビティ板３の段差が形成された側の面とを接合する。
また、電極板４の個別電極８１側の面と、キャビティ板３の振動板３１側の面とが対向するように接合する。
以上の工程を経て、インクジェットヘッド１が製造される。
このようなインクジェットヘッド１は、図７に示すようなインクジェットプリンタ（本発明の液体供給装置）に搭載される。
【００４６】
図７は、本発明の液体供給装置を適用したインクジェットプリンタの実施形態を示す概略図である。
図７に示すインクジェットプリンタ９００は、装置本体９２０を備えており、上部後方に記録用紙Ｐを設置するトレイ９２１と、下部前方に記録用紙Ｐを排出する排紙口９２２と、上部面に操作パネル９７０とが設けられている。
【００４７】
操作パネル９７０は、例えば、液晶ディスプレイ、有機ＥＬディスプレイ、ＬＥＤランプ等で構成され、エラーメッセージ等を表示する表示部（図示せず）と、各種スイッチ等で構成される操作部（図示せず）とを備えている。
また、装置本体９２０の内部には、主に、往復動するヘッドユニット９３０を備える印刷装置（印刷手段）９４０と、記録用紙Ｐを１枚ずつ印刷装置９４０に送り込む給紙装置（給紙手段）９５０と、印刷装置９４０および給紙装置９５０を制御する制御部（制御手段）９６０とを有している。
【００４８】
制御部９６０の制御により、給紙装置９５０は、記録用紙Ｐを一枚ずつ間欠送りする。この記録用紙Ｐは、ヘッドユニット９３０の下部近傍を通過する。このとき、ヘッドユニット９３０が記録用紙Ｐの送り方向とほぼ直交する方向に往復移動して、記録用紙Ｐへの印刷が行なわれる。すなわち、ヘッドユニット９３０の往復動と記録用紙Ｐの間欠送りとが、印刷における主走査および副走査となって、インクジェット方式の印刷が行なわれる。
【００４９】
印刷装置９４０は、ヘッドユニット９３０と、ヘッドユニット９３０の駆動源となるキャリッジモータ９４１と、キャリッジモータ９４１の回転を受けて、ヘッドユニット９３０を往復動させる往復動機構９４２とを備えている。
ヘッドユニット９３０は、その下部に、多数のノズル孔２１（インク吐出口２１１）を備えるインクジェットヘッド１と、インクジェットヘッド１にインクを供給するインクカートリッジ９３１と、インクジェットヘッド１およびインクカートリッジ９３１を搭載したキャリッジ９３２とを有している。
なお、インクカートリッジ９３１として、イエロー、シアン、マゼンタ、ブラック（黒）の４色のインクを充填したものを用いることにより、フルカラー印刷が可能となる。
【００５０】
往復動機構９４２は、その両端をフレーム（図示せず）に支持されたキャリッジガイド軸９４３と、キャリッジガイド軸９４３と平行に延在するタイミングベルト９４４とを有している。
キャリッジ９３２は、キャリッジガイド軸９４３に往復動自在に支持されるとともに、タイミングベルト９４４の一部に固定されている。
キャリッジモータ９４１の作動により、プーリを介してタイミングベルト９４４を正逆走行させると、キャリッジガイド軸９４３に案内されて、ヘッドユニット９３０が往復動する。そして、この往復動の際に、インクジェットヘッド１から適宜インクが吐出され、記録用紙Ｐへの印刷が行われる。
【００５１】
給紙装置９５０は、その駆動源となる給紙モータ９５１と、給紙モータ９５１の作動により回転する給紙ローラ９５２とを有している。
給紙ローラ９５２は、記録用紙Ｐの送り経路（記録用紙Ｐ）を挟んで上下に対向する従動ローラ９５２ａと駆動ローラ９５２ｂとで構成され、駆動ローラ９５２ｂは給紙モータ９５１に連結されている。これにより、給紙ローラ９５２は、トレイ９２１に設置した多数枚の記録用紙Ｐを、印刷装置９４０に向かって１枚ずつ送り込めるようになっている。なお、トレイ９２１に代えて、記録用紙Ｐを収容する給紙カセットを着脱自在に装着し得るような構成であってもよい。
【００５２】
制御部９６０は、例えばパーソナルコンピュータやディジタルカメラ等のホストコンピュータから入力された印刷データに基づいて、印刷装置９４０や給紙装置９５０等を制御することにより印刷を行うものである。
制御部９６０は、いずれも図示しないが、主に、各部を制御する制御プログラム等を記憶するメモリ、インクジェットヘッド１の個別電極８１にパルス電圧を印加して、インクの吐出タイミングを制御する駆動回路、印刷装置９４０（キャリッジモータ９４１）を駆動する駆動回路、給紙装置９５０（給紙モータ９５１）を駆動する駆動回路、および、ホストコンピュータからの印刷データを入手する通信回路と、これらに電気的に接続され、各部での各種制御を行うＣＰＵとを備えている。
また、ＣＰＵには、例えば、インクカートリッジ９３１のインク残量、ヘッドユニット９３０の位置等を検出可能な各種センサ等が、それぞれ電気的に接続されている。
【００５３】
制御部９６０は、通信回路を介して、印刷データを入手してメモリに格納する。ＣＰＵは、この印刷データを処理して、この処理データおよび各種センサからの入力データに基づいて、各駆動回路は、駆動信号を出力する。この駆動信号により静電アクチュエータ、印刷装置９４０および給紙装置９５０は、それぞれ作動する。これにより、記録用紙Ｐに印刷が行われる。
【００５４】
以上、本発明の成膜方法、液体供給ヘッドおよび液体供給装置について図示の実施形態について説明したが、本発明は、これらに限定されるものではない。
例えば、本発明の成膜方法で形成される膜は、撥液膜に限るものではない。
また、本発明の成膜方法は、必要に応じて、任意の目的の工程を追加することもできる。
また、本発明の液体供給ヘッドは、例えば、各種ディスペンスノズル等の細径の流路（貫通孔）を有する各種ヘッドに適用することができる。
【図面の簡単な説明】
【００５５】
【図１】本発明の液体供給ヘッドをインクジェットヘッドに適用した場合の実施形態を示す縦断面図である。
【図２】図１に示すインクジェットヘッドの製造方法を説明するための図である。
【図３】図１に示すインクジェットヘッドの製造方法を説明するための図である。
【図４】図１に示すインクジェットヘッドの製造方法を説明するための図である。
【図５】図１に示すインクジェットヘッドの製造方法を説明するための図である。
【図６】図１に示すインクジェットヘッドの製造方法を説明するための図である。
【図７】本発明の液体供給装置を適用したインクジェットプリンタの実施形態を示す概略図である。
【符号の説明】
【００５６】
１‥‥インクジェットヘッド  ２‥‥ノズル板  ２１‥‥ノズル孔  ２１１‥‥インク吐出口  ２１２‥‥内周面  ２１２ａ‥‥局所領域  ２１２ｂ‥‥領域  ２２‥‥インク吐出口側の面  ２３‥‥上面  ２４‥‥側面  ３‥‥キャビティ板  ３１‥‥振動板  ４‥‥電極板  ５‥‥空隙  ５１‥‥インク吐出室  ５２‥‥オリフィス  ５３‥‥リザーバ  ５４‥‥インク取込口  ６‥‥インク滴  ７‥‥撥液膜  ７０‥‥被加工膜  ８‥‥振動室  ８１‥‥個別電極  １０‥‥シート材  １００‥‥プラズマ処理装置  １０１‥‥チャンバー  １０２‥‥基板載置用ステージ  １０３‥‥プラズマ発生用ヘッド  ９００……インクジェットプリンタ  ９２０……装置本体  ９２１……トレイ  ９２２……排紙口  ９３０……ヘッドユニット  ９３１……インクカートリッジ  ９３２……キャリッジ  ９４０……印刷装置  ９４１……キャリッジモータ  ９４２……往復動機構  ９４３……キャリッジガイド軸  ９４４……タイミングベルト  ９５０……給紙装置  ９５１……給紙モータ  ９５２……給紙ローラ  ９５２ａ……従動ローラ  ９５２ｂ……駆動ローラ  ９６０……制御部  ９７０……操作パネル  Ｐ……記録用紙
【図１】
2006168259.tif 000003
【図２】
2006168259.tif 000004
【図３】
2006168259.tif 000005
【図４】
2006168259.tif 000006
【図５】
2006168259.tif 000007
【図６】
2006168259.tif 000008
【図７】
2006168259.tif 000009